Podtech/llm-jp-corpus-v4-ja_patent huggingface dataset:
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
プリント面と背面とを有するハードコピープリントであって、前記プリント面に画像がプリントされており、前記背面に人間可読、かつ機械可読の位置情報及びアカウント情報がプリントされており、前記位置情報は、前記画像の記憶されたディジタル版に電子的にアクセスできる電子的ネットワーク位置を識別し、前記アカウント情報によって識別されるアカウントは、前記画像に関する商品又はサービスを購入するために支出することができる金額を追跡するためのものであり、前記金額は、前記商品又はサービスの購入ごとに減額される、ハードコピープリント。
【請求項２】
少なくとも１人の顧客に関係するディジタル画像を管理するためのシステムであって、
前記少なくとも１人の顧客に関係するディジタル画像の高解像度版を記憶するディジタル記憶であって、ネットワークＵＲＬを用いて電子的にアクセス可能なディジタル記憶と、
前記ネットワークＵＲＬを使用して前記ディジタル記憶にアクセスするリモートアクセス装置であって、該リモートアクセス装置は、ハードコピープリントの背面にプリントされている機械可読位置情報を読むことによって前記ＵＲＬを受信して利用し、前記ハードコピープリントのプリント面には、前記少なくとも１人の顧客に関係する複数のディジタル画像の低解像度版がプリントされている、リモートアクセス装置と、
前記ハードコピープリントのプリント面の前記少なくとも１人の顧客に関係するディジタル画像の低解像度版の高解像度版であって、前記ＵＲＬに対応し、かつ前記リモートアクセス装置によってアクセスされる高解像度版を前記ディジタル記憶から受信し、新規ハードコピープリントのプリント面に、前記ディジタル画像の前記高解像度版をプリントするプリンタと、
前記新規ハードコピープリントの背面に前記機械可読位置情報をプリントするための第２プリンタと、
を備えるシステム。
【請求項３】
ディジタル画像記憶装置内に記憶されたディジタル画像を検索するための、計算機によって実現される方法であって、
前記ディジタル画像のハードコピープリントに固有の識別子をプリントする段階と、
前記ディジタル画像記憶装置内の前記ディジタル画像にアクセスするための位置を識別する前記固有の識別子をデータベース内に登録する段階と、
前記ハードコピープリント上に、前記の記憶されたディジタル画像に関する商品又はサービスを注文するためのアカウントにおいて利用できる金額に関するアカウント情報をプリントする段階であって、前記アカウントにおいて利用できる金額は、前記商品又はサービスを注文するごとに減額される段階と、
を有する方法。
【請求項４】
ディジタル画像を記憶及び取得するための、計算機によって実現される方法であって、
前記ディジタル画像を含むディジタルデータファイルを作成し、該ディジタルデータファイルを記憶する段階と、
前記ディジタルデータファイル内に顧客識別情報を記憶することによって、該ディジタルデータファイルに顧客を関連付ける段階と、
前記ディジタルデータファイルにＵＲＬを関連付けて、該ＵＲＬによって前記ディジタル画像への電子ネットワークアクセスを可能にする段階と、
前記ディジタル画像のハードコピープリントをプリントする段階であって、該ハードコピープリントは、前記ＵＲＬを読むことができるネットワークに接続されたリモートアクセス装置によって、前記ディジタル画像への電子ネットワークアクセス及び取得を可能にするための機械可読形式でプリントされた前記ＵＲＬを有する段階と、
を有する方法。
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
剥離シートと、該剥離シートの剥離面上に形成された樹脂膜形成層とを有し、
該樹脂膜形成層が、バインダーポリマー成分（Ａ）、硬化性成分（Ｂ）およびゲッタリング剤（Ｃ）を含み、
ゲッタリング剤（Ｃ）が、重金属不活性化剤（Ｃ１）、有機キレート剤（Ｃ２）および銅イオン捕捉金属化合物（Ｃ３）からなる群から選ばれるチップ用樹脂膜形成用シート。
【請求項２】
下記により定義されるゲッタリング剤（Ｃ）の銅イオン吸着能が３０％以上である請求項１に記載のチップ用樹脂膜形成用シート：
ゲッタリング剤１ｇを、銅イオン濃度が３ｐｐｍの塩化銅水溶液５０ｇに投入し、１２１℃、２気圧下、２４時間放置した後の該銅イオン水溶液の銅イオン濃度を測定し、
銅イオン吸着能＝（３ｐｐｍ−残留銅イオン濃度（ｐｐｍ））×１００／３ｐｐｍより銅イオン吸着能を求める。
【請求項３】
該樹脂膜形成層が、さらに着色剤（Ｄ）を含有する請求項１または２に記載のチップ用樹脂膜形成用シート。
【請求項４】
該樹脂膜形成層を構成する全固形分１００重量部あたりゲッタリング剤（Ｃ）を１〜３５重量部含有する請求項１〜３の何れかに記載のチップ用樹脂膜形成用シート。
【請求項５】
該樹脂膜形成層が、半導体ウエハまたはチップの保護膜である請求項１〜４の何れかに記載のチップ用樹脂膜形成用シート。
【請求項６】
表面に回路が形成された半導体ウエハの裏面に、請求項１〜５の何れかに記載のチップ用樹脂膜形成用シートの樹脂膜形成層を貼付し、裏面に樹脂膜を有する半導体チップを得ることを特徴とする半導体チップの製造方法。
【請求項７】
以下の工程（１）〜（３）をさらに含み、工程（１）〜（３）を任意の順で行うことを特徴とする請求項６に記載の半導体チップの製造方法：
工程（１）：樹脂膜形成層と剥離シートとを剥離、
工程（２）：樹脂膜形成層を硬化、
工程（３）：半導体ウエハおよび樹脂膜形成層をダイシング。
【請求項８】
該半導体ウエハが、裏面研削後、裏面研削により生じた破砕層を厚み５０ｎｍ以下にまで低減されたものである請求項６または７に記載の半導体チップの製造方法。
【請求項９】
該樹脂膜が、半導体チップの保護膜である請求項６〜８の何れかに記載の半導体チップの製造方法。
【手続補正書】
【提出日】平成24年8月28日(2012.8.28)
【手続補正１】
【補正対象書類名】明細書
【補正対象項目名】００６３
【補正方法】変更
【補正の内容】
【００６３】
（比較例３）
比較例１で得られた段差のあるエピタキシャルウェーハウェーハをボンドウェーハ（ＳＯＩ層を形成するウェーハ）として利用し、実施例２と同様の条件でイオン注入剥離法により貼り合わせＳＯＩウェーハを作製し、表面の欠陥を観察した。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
各種イオンの中で特定の質量電荷比を有するイオンをプリカーサイオンとして選別する第１質量分離部と、その内部に高周波電場によりイオンを収束させつつ輸送するイオンガイドが配設され、前記プリカーサイオンを所定ガスと衝突させることにより該イオンを開裂させるためのコリジョンセルと、前記プリカーサイオンの開裂により生成した各種プロダクトイオンの中で特定の質量電荷比を有するイオンを選別する第２質量分離部と、該第２質量分離部で選別されたプロダクトイオンを検出する検出器と、を具備するＭＳ／ＭＳ型質量分析装置において、
a)前記コリジョンセルの入口側と出口側との少なくとも一方に設けられた、イオン通過開口を有するレンズ電極と、
b)前記入口側及び出口側のレンズ電極のいずれか一方又は両方に、前記コリジョンセル内のイオンを誘引する又は該イオンを反発させるためのパルス電圧を印加する電圧印加手段と、
c)前記第１質量分離部においてプリカーサイオンの質量電荷比を切り替えるに伴い前記検出器による検出データの収集を休止している休止期間中であって該休止期間の開始時点から所定の遅延時間が経過した時点で前記パルス電圧を発生するように前記電圧印加手段を制御する手段であって、前記休止期間の長さに応じて前記遅延時間の長さを調整する制御手段と、
を備えることを特徴とするＭＳ／ＭＳ型質量分析装置。
【請求項２】
各種イオンの中で特定の質量電荷比を有するイオンをプリカーサイオンとして選別する第１質量分離部と、その内部に高周波電場によりイオンを収束させつつ輸送するイオンガイドが配設され、前記プリカーサイオンを所定ガスと衝突させることにより該イオンを開裂させるためのコリジョンセルと、前記プリカーサイオンの開裂により生成した各種プロダクトイオンの中で特定の質量電荷比を有するイオンを選別する第２質量分離部と、該第２質量分離部で選別されたプロダクトイオンを検出する検出器と、を具備するＭＳ／ＭＳ型質量分析装置において、
a)前記コリジョンセルの入口側と出口側との少なくとも一方に設けられた、イオン通過開口を有するレンズ電極と、
b)前記入口側及び出口側のレンズ電極のいずれか一方又は両方に、前記コリジョンセル内のイオンを誘引する又は該イオンを反発させるためのパルス電圧を印加する電圧印加手段と、
c)前記第１質量分離部においてプリカーサイオンの質量電荷比を切り替えるに伴い前記検出器による検出データの収集を休止している休止期間中に前記パルス電圧を発生するように前記電圧印加手段を制御する手段であって、前記休止期間に入る直前におけるコリジョンセル内の残留イオン量を反映した情報に基づいて前記パルス電圧の波高値又はそのパルス幅の少なくともいずれか一方を調整する制御手段と、
を備えることを特徴とするＭＳ／ＭＳ型質量分析装置。
【請求項３】
請求項２に記載のＭＳ／ＭＳ型質量分析装置であって、
前記残留イオン量を反映した情報は前記検出器により得られるイオン強度に基づくことを特徴とするＭＳ／ＭＳ型質量分析装置。
【手続補正２】
【補正対象書類名】明細書
【補正対象項目名】００１８
【補正方法】変更
【補正の内容】
【００１８】
上記課題を解決するために成された第１発明は、各種イオンの中で特定の質量電荷比を有するイオンをプリカーサイオンとして選別する第１質量分離部と、その内部に高周波電場によりイオンを収束させつつ輸送するイオンガイドが配設され、前記プリカーサイオンを所定ガスと衝突させることにより該イオンを開裂させるためのコリジョンセルと、前記プリカーサイオンの開裂により生成した各種プロダクトイオンの中で特定の質量電荷比を有するイオンを選別する第２質量分離部と、該第２質量分離部で選別されたプロダクトイオンを検出する検出器と、を具備するＭＳ／ＭＳ型質量分析装置において、
a)前記コリジョンセルの入口側と出口側との少なくとも一方に設けられた、イオン通過開口を有するレンズ電極と、
b)前記入口側及び出口側のレンズ電極のいずれか一方又は両方に、前記コリジョンセル内のイオンを誘引する又は該イオンを反発させるためのパルス電圧を印加する電圧印加手段と、
c)前記第１質量分離部においてプリカーサイオンの質量電荷比を切り替えるに伴い前記検出器による検出データの収集を休止している休止期間中であって該休止期間の開始時点から所定の遅延時間が経過した時点で前記パルス電圧を発生するように前記電圧印加手段を制御する手段であって、前記休止期間の長さに応じて前記遅延時間の長さを調整する制御手段と、
を備えることを特徴としている。
【手続補正３】
【補正対象書類名】明細書
【補正対象項目名】００１９
【補正方法】変更
【補正の内容】
【００１９】
また上記課題を解決するために成された第２発明は、各種イオンの中で特定の質量電荷比を有するイオンをプリカーサイオンとして選別する第１質量分離部と、その内部に高周波電場によりイオンを収束させつつ輸送するイオンガイドが配設され、前記プリカーサイオンを所定ガスと衝突させることにより該イオンを開裂させるためのコリジョンセルと、前記プリカーサイオンの開裂により生成した各種プロダクトイオンの中で特定の質量電荷比を有するイオンを選別する第２質量分離部と、該第２質量分離部で選別されたプロダクトイオンを検出する検出器と、を具備するＭＳ／ＭＳ型質量分析装置において、
a)前記コリジョンセルの入口側と出口側との少なくとも一方に設けられた、イオン通過開口を有するレンズ電極と、
b)前記入口側及び出口側のレンズ電極のいずれか一方又は両方に、前記コリジョンセル内のイオンを誘引する又は該イオンを反発させるためのパルス電圧を印加する電圧印加手段と、
c)前記第１質量分離部においてプリカーサイオンの質量電荷比を切り替えるに伴い前記検出器による検出データの収集を休止している休止期間中に前記パルス電圧を発生するように前記電圧印加手段を制御する手段であって、前記休止期間に入る直前におけるコリジョンセル内の残留イオン量を反映した情報に基づいて前記パルス電圧の波高値又はそのパルス幅の少なくともいずれか一方を調整する制御手段と、
を備えることを特徴としている。
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
電極用の電気化学的に活性な構造であって、
複数のシリコン含有繊維を有し、該繊維は、全長に沿って、複数回、他の繊維と接触することを特徴とする構造。
【請求項２】
前記繊維同士の交点は、乱された結晶構造を有することを特徴とする請求項１に記載の構造。
【請求項３】
前記乱された結晶構造は、アモルファス構造を有することを特徴とする請求項２に記載の構造。
【請求項４】
前記繊維は、結晶質であることを特徴とする請求項１乃至３のいずれか一つに記載の構造。
【請求項５】
前記繊維は、実質的に直線であることを特徴とする請求項１乃至４のいずれか一つに記載の構造。
【請求項６】
前記繊維は、約１００：１のアスペクト比を有することを特徴とする請求項１乃至５のいずれか一つに記載の構造。
【請求項７】
各繊維は、長さに沿って、他の繊維と複数回接触した立体配置を構成することを特徴とする請求項１乃至６のいずれか一つに記載の構造。
【請求項８】
前記繊維は、相互に結合されており、前記繊維の機械的な単離が抑制されることを特徴とする請求項１乃至７のいずれか一つに記載の構造。
【請求項９】
当該構造は、フェルトまたはフェルト状構造であることを特徴とする請求項１乃至８のいずれか一つに記載の構造。
【請求項１０】
前記フェルトまたはフェルト状構造は、シートであることを特徴とする請求項９に記載の構造。
【請求項１１】
前記繊維は、エッチングされた繊維であることを特徴とする請求項１乃至１０のいずれか一つに記載の構造。
【請求項１２】
前記繊維は、ピラーから形成され、該ピラーは、
２０〜３００μｍの長さおよび／または８０〜５００ｎｍの横径寸法を有し、
シリコンまたはシリコンを含む基板に取り付けられることを特徴とする請求項１乃至１１のいずれか一つに記載の構造。
【請求項１３】
当該構造は、充電および放電の際の、内繊維電子伝導率が保存されるように配置されることを特徴とする請求項１乃至１２のいずれか一つに記載の構造。
【請求項１４】
前記繊維は、ランダムまたは無秩序な方法で、配置されることを特徴とする請求項１乃至１３のいずれか一つに記載の構造。
【請求項１５】
さらに、集電体としての機能を有することを特徴とする請求項１乃至１４のいずれか一つに記載の構造。
【請求項１６】
当該構造は、さらに、結合剤および電気的添加剤の少なくとも一つを有する複合構造であることを特徴とする請求項１乃至１５のいずれか一つに記載の構造。
【請求項１７】
前記複合構造は、導電性基板上に配置されることを特徴とする請求項１６に記載の構造。
【請求項１８】
前記繊維は、０．００１から１００Ωｃｍの抵抗率を有することを特徴とする請求項１乃至１７のいずれか一つに記載の構造。
【請求項１９】
前記繊維は、ｎ型またはｐ型にドープされたシリコンを含むことを特徴とする請求項１乃至１８のいずれか一つに記載の構造。
【請求項２０】
当該構造は、多孔質であることを特徴とする請求項１乃至１９のいずれか一つに記載の構造。
【請求項２１】
さらに、細孔容積を充填する電解質を有することを特徴とする請求項２０に記載の構造。
【請求項２２】
前記電解質は、液体電解質またはポリマー電解質であることを特徴とする請求項２０に記載の構造。
【請求項２３】
細孔容積の割合は、約１０〜３０％であることを特徴とする請求項１乃至２２のいずれか一つに記載の構造。
【請求項２４】
前記繊維は、当該構造の重量比で、７０〜９５％含まれていることを特徴とする請求項１乃至２３のいずれか一つに記載の構造。
【請求項２５】
当該構造は、フィルムであることを特徴とする請求項１乃至２４のいずれか一つに記載の構造。
【請求項２６】
請求項１乃至２５のいずれか一つに記載の電気化学的に活性な構造を有することを特徴とする電極。
【請求項２７】
請求項１乃至２５のいずれか一つに記載の電気化学的に活性な構造を有することを特徴とするリチウム電池アノード。
【請求項２８】
請求項２６に記載の電極または請求項２７に記載のアノードを有することを特徴とする電気化学セル。
【請求項２９】
請求項２６に記載の電極または請求項２７に記載のアノードを有することを特徴とするリチウム電池。
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
複数種類の絵柄が施され、回転可能な複数のリールと、
予め定められた複数種類の入賞役の当選データを含む抽選データを記憶する抽選データ記憶手段と、
前記抽選データ記憶手段に記憶された抽選データに基づいて、内部当選の当否を抽選により判定する抽選手段と、
前記複数のリールの絵柄の停止位置を制御する停止制御データを記憶する停止制御データ記憶手段と、
前記抽選手段による抽選結果に応じて、前記停止制御データ記憶手段に記憶された停止制御データを選択し、選択した停止制御データに基づいて前記複数のリールを停止するリール停止制御手段と、
停止時の前記複数のリールにより表示された絵柄の組み合わせが、内部当選した入賞役であるか否かに基づいて入賞を判定する入賞判定手段と、
を有し、
前記複数種類の入賞役には、
遊技媒体の払出が発生する小役と、
前記遊技媒体の払出が発生しない再遊技役と、
当該役に入賞することを契機に、予め定めた特別遊技状態に移行させる特定役と、が含まれ、
通常確率再遊技状態、特定役内部当選中遊技状態及び前記特別遊技状態を含む複数種類の遊技状態を備える遊技台であって、
前記通常遊技確率状態の抽選データには、前記再遊技役を内部当選させる当選データと、前記特定役を内部当選させる当選データ、または前記再遊技役と前記特定役の双方を内部当選させる当選データ、のうち少なくとも一つの当選データと、があり、前記少なくとも一つの当選データは、前記再遊技役と前記特定役の双方を内部当選させる当選データを含み、
前記抽選手段は、
前記再遊技役に内部当選したときは、前記再遊技役に内部当選したことを示す当選情報を設定し、前記再遊技役と前記特定役の双方に内部当選したときは、前記再遊技役と前記特定役に内部当選したことを示す当選情報を設定し、
前記特定役に内部当選したことを示す当選情報は、前記入賞判定手段により前記特定役に入賞したと判定されるまで、少なくとも設定され、
前記特定役内部当選中遊技状態の抽選データは、
前記通常確率再遊技状態の抽選データよりも、前記再遊技役に内部当選する確率が高い抽選データであり、
前記通常確率再遊技状態において前記特定役に内部当選したことを示す当選情報が設定された遊技で前記特定役に入賞しなかった場合には、前記特定役に入賞するまで、遊技状態を前記特定役内部当選中遊技状態に移行させ、前記特定役内部当選中遊技状態において前記特定役に入賞した場合には、遊技状態を前記特別遊技状態に移行させ、
前記リール停止制御手段は、
前記通常確率再遊技状態において、前記抽選手段により前記再遊技役に内部当選したことを示す当選情報が設定され、かつ、前記特定役に内部当選したことを示す当選情報が設定されていない場合には、前記再遊技役に対応する絵柄組み合わせを必ず停止表示する前記停止制御データを選択し、
前記通常確率再遊技状態において、前記抽選手段により前記再遊技役と前記特定役の双方に内部当選したことを示す当選情報が設定された場合には、前記特定役に対応する絵柄組み合わせを停止表示することなく前記再遊技役に対応する絵柄組み合わせを必ず停止表示する前記停止制御データを選択し、
前記通常確率再遊技状態及び前記特定役内部当選中遊技状態において、前記抽選手段により、前記特定役に内部当選したことを示す当選情報が設定され、かつ、前記再遊技役に内部当選したことを示す当選情報が設定されていない場合であって、前記特定役に対応する絵柄組合せを停止表示可能なときは、前記特定役に対応する絵柄組み合わせを停止表示可能な停止制御データを選択し、
前記通常確率再遊技状態において、前記抽選手段により前記再遊技役に内部当選したことを示す当選情報が設定され、かつ、前記特定役に内部当選したことを示す当選情報が設定されていない場合と、前記通常確率再遊技状態において、前記抽選手段により前記再遊技役と前記特定役の双方に内部当選したことを示す当選情報が設定された場合において、所定条件を満たすことにより前記特定役の内部当選を期待させる特定の演出を実行する演出実行手段と備えたことを特徴とする遊技台。
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
寒冷条件下で哺乳動物の核心体温の変化を防止する方法であって、
（ａ）該哺乳動物において熱エネルギー入力の必要性を検出する段階と、
（ｂ）該必要性が存在することに応じて該哺乳動物の一部の表面を、該哺乳動物の核心に熱エネルギーを導入するのに十分な期間にわたって陰圧条件下で暖温媒体に接触させる段階とを含み、
それによって該哺乳動物の核心体温が該寒冷条件下で変化するのを防止する方法。
【請求項２】
必要性が、哺乳動物に体温調節障害が存在することを検出することによって検出される、請求項１記載の方法。
【請求項３】
体温調節障害が、哺乳動物に血管収縮が存在することを検出することによって検出される、請求項１記載の方法。
【請求項４】
方法が、密封されたエンクロージャ内に哺乳動物の部分を密閉して該哺乳動物の密閉部分を形成する段階をさらに含む、請求項１記載の方法。
【請求項５】
方法が、哺乳動物の該核心体温を少なくとも約60分の持続時間にわたって実質的に一定に維持する方法であり、該方法が、該持続時間中に段階（ａ）および段階（ｂ）を少なくとも２回実行する段階を含む、請求項１記載の方法。
【請求項６】
哺乳動物の部分が四肢またはその一部である、請求項１記載の方法。
【請求項７】
四肢が、腕および脚からなる群より選択される、請求項６記載の方法。
【請求項８】
密封されたエンクロージャが、約-20mmHg〜-80mmHgの範囲の圧力を有する、請求項４記載の方法。
【請求項９】
暖温媒体が約44℃〜48℃の範囲の温度を有する、請求項１記載の方法。
【請求項１０】
期間が約１分〜600分の範囲である、請求項１記載の方法。
【請求項１１】
哺乳動物がヒトである、請求項１記載の方法。
【請求項１２】
寒冷条件下で少なくとも約60分の時続時間にわたって哺乳動物の核心体温を実質的に一定に維持する方法であって、
（ａ）該持続時間の間、該哺乳動物に体温調節障害が存在するかどうかを監視する段階と、  
（ｂ）該体温調節障害が存在することに応じて該哺乳動物の密閉部分の表面を、該哺乳動物の核心に熱エネルギーを導入するのに十分な期間にわたって陰圧条件下で暖温媒体に接触させる段階とを含み、
それによって該持続時間の間、該哺乳動物の核心体温が実質的に一定に維持される方法。
【請求項１３】
体温調節障害が、哺乳動物に血管収縮が存在することを検出することによって検出される、請求項12記載の方法。
【請求項１４】
方法が、密閉されたエンクロージャ内に哺乳動物の部分を密閉して該哺乳動物の密閉部分を形成する段階をさらに含む、請求項12記載の方法。
【請求項１５】
哺乳動物の部分が四肢またはその一部である、請求項12記載の方法。
【請求項１６】
四肢が、腕および脚からなる群より選択される、請求項15記載の方法。
【請求項１７】
密封されたエンクロージャが、約-20mmHg〜-80mmHgの範囲の圧力を有する、請求項14記載の方法。
【請求項１８】
暖温媒体が約44℃〜48℃の範囲の温度を有する、請求項12記載の方法。
【請求項１９】
期間が約５分〜600分の範囲である、請求項12記載の方法。
【請求項２０】
哺乳動物がヒトである、請求項12記載の方法。
【請求項２１】
寒冷条件下で少なくとも約60分の時続時間にわたってヒトの核心体温を実質的に一定に維持する方法であって、
（ａ）該持続時間の間、該哺乳動物に血管収縮が存在するかどうかを監視する段階と、
（ｂ）該血管収縮が存在することに応じて該哺乳動物の密閉部分の表面を、約１分〜600分の範囲の期間にわたって約-20mmHg〜-80mmHgの範囲の陰圧条件下で暖温媒体に接触させる段階とを含み、
それによって該持続時間の間、該ヒトの核心体温が実質的に一定に維持される方法。
【請求項２２】
寒冷条件下で哺乳動物の核心に熱エネルギーを導入する装置であって、
（ａ）該哺乳動物において熱エネルギー入力の必要性を検出する手段と、
（ｂ）該哺乳動物の一部を密閉する密封可能なエンクロージャと、
（ｃ）該密封可能なエンクロージャ内に陰圧条件を提供する手段と、
（ｄ）該密封可能なエンクロージャ内に暖温媒体を形成する加熱手段とを含む装置。
【請求項２３】
哺乳動物の部分が四肢またはその一部である、請求項22記載の装置。
【請求項２４】
四肢が、腕および脚からなる群より選択される、請求項23記載の方法。
【請求項２５】
哺乳動物において熱エネルギー入力の必要性を検出する手段が、該哺乳動物において体温調節障害を検出する手段である、請求項22記載の装置。
【請求項２６】
哺乳動物において熱エネルギー入力の必要性を検出する手段が、血管収縮検出手段である、請求項25記載の装置。
【請求項２７】
密封されたエンクロージャ内で陰圧を提供する手段によって、約-20mmHg〜-80mmHgの範囲の陰圧を提供することができる、請求項22記載の方法。
【請求項２８】
哺乳動物がヒトである、請求項22記載の装置。
【請求項２９】
密封可能なエンクロージャが、袖、手袋、および長靴からなる群より選択される形態を有する、請求項22記載の装置。
【手続補正書】
【提出日】平成24年7月31日(2012.7.31)
【手続補正１】
【補正対象書類名】特許請求の範囲
【補正対象項目名】請求項１
【補正方法】変更
【補正の内容】
【請求項１】
遊技者によって操作される操作スイッチと、
遊技中における演出画像を表示する画像表示装置と、
前記操作スイッチが操作されたときに、遊技者の遊技履歴を含む入力情報を入力させる画面を表示する表示手段と、
遊技者により前記入力情報が入力されてからの遊技履歴を所定の記憶領域に記憶する演出制御手段と
を備え、
前記演出制御手段は、
前記操作スイッチが操作されたときに、最後に前記入力情報が入力されてからの遊技履歴及び遊技者固有の遊技者情報を含む遊技情報から携帯端末により読取り可能なコードを作成し、前記画像表示装置に画像表示するように制御し、
前記コードを作成して画像表示する場合に、前記遊技情報を消去するように制御する
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技履歴及び遊技者固有の遊技者情報を含むコードを画像表示するようにした遊技機に関するものである。
【手続補正４】
【補正対象書類名】明細書
【補正対象項目名】０００６
【補正方法】変更
【補正の内容】
【０００６】
本発明は、以下の解決手段によって上述の課題を解決する。
本発明は、遊技者によって操作される操作スイッチと、遊技中における演出画像を表示する画像表示装置と、前記操作スイッチが操作されたときに、遊技者の遊技履歴を含む入力情報を入力させる画面を表示する表示手段と、遊技者により前記入力情報が入力されてからの遊技履歴を所定の記憶領域に記憶する演出制御手段とを備え、前記演出制御手段は、前記操作スイッチが操作されたときに、最後に前記入力情報が入力されてからの遊技履歴及び遊技者固有の遊技者情報を含む遊技情報から携帯端末により読取り可能なコードを作成し、前記画像表示装置に画像表示するように制御し、前記コードを作成して画像表示する場合に、前記遊技情報を消去するように制御することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
（作用）
本発明においては、遊技者の遊技履歴を含む入力情報が入力されると、その入力情報が入力されてからの遊技履歴が記憶される。
さらに、遊技が行われると、遊技履歴が更新され、操作スイッチが操作されると、最後に入力情報が入力されてからの遊技履歴等の遊技情報からコードが作成され、画像表示される。遊技者は、このコードを携帯端末で読み取り、保持することができる。また、コードを画像表示する場合に、遊技情報が消去される。
【手続補正１１】
【補正対象書類名】明細書
【補正対象項目名】００１３
【補正方法】変更
【補正の内容】
【００１３】
本発明によれば、遊技者の遊技履歴等に応じた演出を出力できる。また、遊技者が遊技を行うごとに遊技履歴を更新していき、遊技の終了時等には最新の遊技履歴を遊技者に保持させることができる。
【手続補正１２】
【補正対象書類名】明細書
【補正対象項目名】００１４
【補正方法】変更
【補正の内容】
【００１４】
【図１】本発明による遊技機を含む遊技機演出システムの一実施形態を示すブロック図である。
【図２】メニュー画面の例を示す図である。
【図３】会員登録用の画面を画像表示した例を示す図である。
【図４】携帯通信端末のディスプレイに表示される会員登録のページの例を示す図である。
【図５】発行されたパスワードと、会員登録が行われた旨、及び注意事項等を画像表示した例を示す図である。
【図６】パスワード入力画面を画像表示した例を示す図である。
【図７】二次元コードを画像表示した例を示す図である。
【図８】読み取られた二次元コードに対応するＵＲＬを表示した例を示す図である。
【図９】マイフォルダー内の項目の情報が表示される。
【図１０】パスワードを表示した例を示す図である。
【図１１】獲得したキャラクタのデータ一覧の例を示す図である。
【図１２】今までのゲーム回数やボーナス当選回数を表示した例を示す図である。
【図１３】４つのペアのうち、いずれか１つのペアを選択する画面の例を示す図である。
【図１４】レベルを設定する画面を表示した例を示す図である。
【図１５】（Ａ）は、キーワードを含む言葉を表示した演出例を示す図であり、（Ｂ）は、そのキーワードの解説画面を表示した例を示す図である。
【図１６】（Ａ）は、キーワードを含む言葉を表示した演出例を示す図であり、（Ｂ）は、そのキーワードの解説画面を表示した例を示す図である。
【図１７】お気に入りペア設定の画像表示の例を示す図である。
【手続補正１３】
【補正対象書類名】明細書
【補正対象項目名】００１５
【補正方法】変更
【補正の内容】
【００１５】
以下、図面等を参照して、本発明の一実施形態について説明する。なお、以下の実施形態では、本発明の遊技機として、スロットマシン１０を例に挙げて説明する。
図１は、本発明による遊技機を含む遊技機演出システムの一実施形態を示すブロック図である。図１において、遊技機演出システムは、スロットマシン（遊技機）１０と、携帯通信端末１００と、サーバーコンピュータ２００とから構成されている。
【手続補正書】
【提出日】平成24年6月28日(2012.6.28)
【手続補正１】
【補正対象書類名】明細書
【補正対象項目名】００７２
【補正方法】変更
【補正の内容】
【００７２】
なお、図１８，図１９で説明した例は、表１の条件［２］に該当するものである。図１７で説明した２行×Ｎ列のノズル配列に対して、相対振動周期Ｐvとオフセット量ＯSyの関係が表１の条件［１］となる場合の描画結果の例を図４、図５に示す。
【手続補正２】
【補正対象書類名】明細書
【補正対象項目名】００７３
【補正方法】変更
【補正の内容】
【００７３】
また、図２０で説明した６行×Ｎ列のノズル配列に関して、表１の条件［１］に相当する場合の描画結果を図６、図７に示す。（なお、図２１，２２は表１の条件［２］に該当するものである）
良好な条件［１］に該当する図５、図７では、図１９、図２２に見られた振動ムラが低減していることが分かる。なお、比較のために、ここでは相対振動の片振幅は同じく5μmであり、相対振動の周期を500pix＝10.6mmとした。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
遊技用価値を用いて遊技が行われ、記録媒体に記録されている記録情報で特定される有価価値を使用して遊技者に遊技用価値を貸与することを要求するための制御を行う記録媒体処理装置と通信可能な遊技機であって、
前記記録媒体処理装置から遊技用価値を貸与することを要求するための貸与要求信号が送信されたことを条件として所定数の遊技媒体を遊技用価値として貸与するための制御を行う貸与制御手段と、
前記記録媒体処理装置からの前記貸与制御手段へ動作を要求するための信号を受信し、当該信号にもとづく動作指令を前記貸与制御手段に対して出力するとともに、前記貸与制御手段の動作状態を示す信号を前記記録媒体処理装置に対して送信可能な通信用ＩＣとを備えた
ことを特徴とする遊技機。
【請求項２】
遊技用価値を用いて遊技が行われる遊技機と通信可能であり、記録媒体に記録されている記録情報で特定される有価価値を使用して遊技者に遊技用価値を貸与することを要求するための制御を行う記録媒体処理装置であって、
遊技媒体を遊技者に貸与すると判定した場合に貸与指令を出力する制御手段と、
前記貸与指令にもとづいて遊技用価値として遊技媒体を貸与することを要求するための貸与要求信号を遊技機に送信するとともに、前記遊技機から遊技媒体の貸与結果に関する信号を前記遊技機から受信した場合に前記貸与結果に関する情報を前記制御手段に出力する通信用のＩＣとを備えた
ことを特徴とする記録媒体処理装置。
【手続補正２】
【補正対象書類名】明細書
【補正対象項目名】００１０
【補正方法】変更
【補正の内容】
【００１０】
本発明による遊技機は、遊技用価値を用いて遊技が行われ、記録媒体に記録されている記録情報で特定される有価価値を使用して遊技者に遊技用価値を貸与することを要求するための制御を行う記録媒体処理装置（例えばカードユニット５０）と通信可能な遊技機であって、記録媒体処理装置から遊技用価値を貸与することを要求するための貸与要求信号（例えば通信用ＩＣ５００から通信用ＩＣ４００への球貸し要求信号）が送信されたことを条件として所定数の遊技媒体を遊技用価値として貸与するための制御を行う貸与制御手段（例えば払出制御用ＣＰＵ３７１）と、記録媒体処理装置からの貸与制御手段へ動作を要求するための信号（例えば通信用ＩＣ５００からの球貸し要求信号）を受信し、その信号にもとづく動作指令（例えば払出制御用ＣＰＵ３７１への球貸し要求信号）を貸与制御手段に対して出力するとともに、貸与制御手段の動作状態を示す信号（例えば球貸し完了信号）を記録媒体処理装置に対して送信可能な通信用ＩＣ（例えば通信用ＩＣ４００）とを備えたことを特徴とする。
そのような構成によれば、貸与制御手段は記録媒体処理装置との間で直接通信を行わなくてよいようになり、貸与制御手段の記録媒体処理装置との間の通信に関する制御負担を軽減することができる効果がある。
【手続補正３】
【補正対象書類名】明細書
【補正対象項目名】００２１
【補正方法】変更
【補正の内容】
【００２１】
本発明による記録媒体処理装置は、遊技用価値を用いて遊技が行われる遊技機と通信可能であり、記録媒体に記録されている記録情報で特定される有価価値を使用して遊技者に遊技用価値を貸与することを要求するための制御を行う記録媒体処理装置であって、遊技媒体を遊技者に貸与すると判定した場合に貸与指令を出力する制御手段（例えばカードユニット制御用マイクロコンピュータを含むカードユニット制御部１６０）と、貸与指令にもとづいて遊技用価値として遊技媒体を貸与することを要求するための貸与要求信号を遊技機に送信するとともに、遊技機から遊技媒体の貸与結果に関する信号を遊技機から受信した場合に貸与結果に関する情報を制御手段に出力する通信用のＩＣ（例えば通信用ＩＣ５００）とを備えたことを特徴とする。
そのような構成によれば、制御手段は遊技機との間で直接通信を行わなくてよいようになり、制御手段の遊技機との間の通信に関する制御負担を軽減することができる効果がある。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
グリップ部、バッテリ装着部およびノズルを有し、内部に送風ファンおよびフィルタが設けられるハウジングを有する充電式クリーナであって、
第１の照明装置と、前記第１の照明装置とは機能目的が相違する第２の照明装置と、を有することを特徴とする充電式クリーナ。
【請求項２】
グリップ部、バッテリ装着部およびノズルを有し、内部に送風ファンおよびフィルタが設けられるハウジングを有する充電式クリーナであって、
第１の方向を照らす第１の照明装置と、前記第１の方向とは異なる第２の方向を照らす第２の照明装置と、を有することを特徴とする充電式クリーナ。
【請求項３】
グリップ部、バッテリ装着部およびノズルを有し、内部に送風ファンおよびフィルタが設けられるハウジングを有する充電式クリーナであって、
第１の位置に配置される第１の照明装置と、前記第１の位置とは異なる第２の位置に配置される第２の照明装置と、を有することを特徴とする充電式クリーナ。
【請求項４】
請求項１から請求項３のいずれかに記載の充電式クリーナにおいて、
前記第１の照明装置をオン操作するための第１のスイッチを設けたことを特徴とする充電式クリーナ。
【請求項５】
請求項１から請求項４のいずれかに記載の充電式クリーナにおいて、
前記送風ファンを回転させるための第２のスイッチを設けたことを特徴とする充電式クリーナ。
【請求項６】
請求項４または請求項５に記載の充電式クリーナにおいて、
前記第１のスイッチは、前記第２の照明装置をオン操作することが可能であることを特徴とする充電式クリーナ。
【手続補正２】
【補正対象書類名】明細書
【補正対象項目名】００１５
【補正方法】変更
【補正の内容】
【００１５】
次に、上記した充電式クリーナ本体２０に配設される照明装置４０について説明する。図示するように、照明装置４０は、上記したクリーナ基体２１の基体ハウジング２１１と一体化されて配設されるものであり、ノズル構成部２６の上部に載置されるように配置される。
照明装置４０は、照明の機能目的が互いに相違する複数種類の照明機能を備えて構成される。すなわち、照明装置４０は、白色発光ダイオード（以下、「ＬＥＤ（ｌｉｇｈｔ  ｅｍｉｔｔｉｎｇ  ｄｉｏｄｅ）」と称する）４５を用いて照明する発光ダイオード照明機能と、蛍光灯５５を用いて照明する蛍光灯照明機能との２種類の照明機能を備える。
照明装置４０の発光ダイオード照明機能としては、ＬＥＤ照明部４１にて構成される。このＬＥＤ照明部４１は、照明装置４０の最前位置に配設されている。このＬＥＤ照明部４１は、ノズル２８が延びる方向に沿って充電式クリーナ本体２０前方を、フラッシュライト（懐中電灯）のようにスポット的に照らし出すことができる。
具体的な構成としては、ＬＥＤ照明部４１は、概略、ハウジング４２と、集光ミラー４３と、ＬＥＤ４５と、透過カバー４７とを備える。ハウジング４２は、上記したクリーナ基体２１の基体ハウジング２１１と一体化され、クリーナ基体２１にて支持される。集光ミラー４３は、ハウジング４２にて支持され、適宜の凹面鏡構造を有する。この集光ミラー４３は、充電式クリーナ本体２０前方を照らし出すために、ＬＥＤ４５が発光した光を集光する機能を有する。ＬＥＤ４５は、適宜の白色発光ダイオードにより構成され、集光ミラー４３の中心にて適宜の電気回路（ＬＥＤ用の専用電気回路）に電気的に接続されて支持されている。透過カバー４７は、適宜の透過性樹脂にて形成されており、ハウジング４２にて支持される。この透過カバー４７は、集光ミラー４３により集光したＬＥＤ４５の光を透過し、この透過した光は、上記したように充電式クリーナ本体２０前方を、スポット的に照らし出すものとなっている。
照明装置４０の蛍光灯照明機能としては、蛍光灯照明部５１にて構成される。この蛍光灯照明部５１は、照明装置４０の中間位置に配設されている。この蛍光灯照明部５１は、ノズル２８が延びる方向に沿って蛍光灯５５が配設されることにより、充電式クリーナ本体２０の近傍周囲を広範囲で照らし出すことができる。
具体的にな構成としては、蛍光灯照明部５１は、概略、透明樹脂ハウジング５２と、蛍光灯５５とを備える。透明樹脂ハウジング５２は、上記したクリーナ基体２１の基体ハウジング２１１と一体化され、クリーナ基体２１にて支持される。この透明樹脂ハウジング５２は、全方向に亘って光を透過することができるように、全周に亘って透明樹脂にて形成されてている。蛍光灯５５は、広く利用されている蛍光灯と同様に構成されるものであり、全方向に亘って光を出すものである。この蛍光灯５５は、透明樹脂ハウジング５２内部に配設される適宜の電気回路（蛍光灯用の専用電気回路）に電気的に接続されて支持されている。このように蛍光灯照明部５１の蛍光灯５５は、充電式クリーナ本体２０の近傍周囲を広範囲で照らし出すものとなっている。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
エンジンを有する車体と、
前記車体に配設されて前記エンジンの駆動力を用いて作動する作業装置と、
前記作業装置を作動させるための操作を行う作業装置操作手段と、
前記エンジンの始動および停止を制御するとともに、前記作業装置操作手段からの操作信号に基づいて前記作業装置の作動を制御する作動制御手段と、
前記エンジンから排出された排気ガスに含まれる可燃性微粒子を捕集するフィルタを有し、前記フィルタに捕集された可燃性微粒子を燃焼除去して前記フィルタを再生可能な排気ガス浄化装置と、
前記フィルタに捕集された可燃性微粒子の捕集推定量を検出する捕集量検出手段と、
前記捕集量検出手段により検出された可燃性微粒子の捕集推定量が所定量を超えた場合に警告信号を出力する浄化装置制御手段とを備え、
前記作動制御手段は、前記浄化装置制御手段から警告信号が出力された場合に、前記エンジンの作動を停止させることを特徴とする作業車の制御装置。
【請求項２】
前記作動制御手段は、前記浄化装置制御手段から警告信号が出力されているとき、前記作業装置操作手段から操作信号が出力されていない場合に前記エンジンの作動を停止させ、前記作業装置操作手段から操作信号が出力されている場合には前記エンジンを継続して作動させ、当該操作信号の出力が解除されたときに前記エンジンの作動を停止させることを特徴とする請求項１に記載の作業車の制御装置。
【請求項３】
前記作動制御手段は、前記浄化装置制御手段から警報信号が出力されてから所定時間経過後に前記エンジンの作動を停止させることを特徴とする請求項１または２に記載の作業車の制御装置。
【請求項４】
前記エンジンを始動させるための操作を行うエンジン操作手段を備え、
前記作動制御手段は、前記浄化装置制御手段から警告信号が出力されたとき、前記エンジンの作動を一旦停止させ、当該エンジン停止後において前記エンジン操作手段により前記エンジンの始動操作がされた場合には、当該警告信号が出力されてから所定時間経過後に、もしくは所定時間経過ごとに前記エンジンを再停止させる制御を行い、当該所定時間内においてのみ前記エンジンの再始動を許容することを特徴とする請求項１〜３のいずれかに記載の作業車の制御装置。
【請求項５】
前記エンジンを始動させるための操作を行うエンジン操作手段を備え、
前記作動制御手段は、前記浄化装置制御手段から警告信号が出力されたとき、前記エンジンの作動を一旦停止させるとともに、当該エンジン停止後において前記エンジン操作手段により前記エンジンの始動操作がされると前記エンジンの再始動を所定時間だけ許容することを特徴とする請求項１〜４のいずれかに記載の作業車の制御装置。
【請求項６】
前記エンジンの作動が停止された状態において、前記エンジン操作手段により前記エンジンの始動操作がされると前記エンジンの前記再始動が1度のみ許容され、その後においては前記エンジンの始動操作が再びされても前記エンジンの作動が規制されることを特徴とする請求項４または５に記載の作業車の制御装置。
【請求項７】
前記エンジンの駆動力を取り出すパワーテイクオフ機構と、前記パワーテイクオフ機構をオンオフ作動させるための操作を行うパワーテイクオフ操作手段と、を更に備え、
前記作業装置は、前記パワーテイクオフ機構により取り出される前記エンジンの駆動力を用いて作動し、
前記作動制御手段は、前記パワーテイクオフ機構がオン作動された状態において、前記浄化装置制御手段から警告信号が出力された場合に、前記エンジンの作動を停止させることを特徴とする請求項１〜６のいずれかに記載の作業車の制御装置。
【請求項８】
前記エンジンが作動されている状態において、前記パワーテイクオフ機構がオン作動される前に前記浄化装置制御手段から警告信号が出力された場合には、前記作動制御手段は、前記パワーテイクオフ機構がオン作動されたときに前記エンジンの作動を停止させることを特徴とする請求項７に記載の作業車の制御装置。
【手続補正２】
【補正対象書類名】明細書
【補正対象項目名】０００７
【補正方法】変更
【補正の内容】
【０００７】
前記課題を解決するために、本発明に係る作業車の制御装置は、エンジンを有する車体と、車体に配設されてエンジンの駆動力を用いて作動する作業装置（例えば、実施形態における旋回台２０、ブーム３０、および作業台４０）と、作業装置を作動させるための操作を行う作業装置操作手段（例えば、実施形態における上部操作装置４３）と、エンジンの始動および停止を制御するとともに、作業装置操作手段からの操作信号に基づいて作業装置の作動を制御する作動制御手段（例えば、実施形態におけるコントローラ７０）と、エンジンから排出された排気ガスに含まれる可燃性微粒子を捕集するフィルタを有し、フィルタに捕集された可燃性微粒子を燃焼除去してフィルタを再生可能な排気ガス浄化装置と、フィルタに捕集された可燃性微粒子の捕集推定量を検出する捕集量検出手段（例えば、実施形態における圧力センサ６３，６４）と、捕集量検出手段により検出された可燃性微粒子の捕集推定量が所定量を超えた場合に警告信号を出力する浄化装置制御手段（例えば、実施形態における電子制御ユニットＥＣＵ）とを備え、作動制御手段は、浄化装置制御手段から警告信号が出力された場合に、エンジンの作動を停止させるようになっている。
【手続補正３】
【補正対象書類名】明細書
【補正対象項目名】００１３
【補正方法】変更
【補正の内容】
【００１３】
また、上記構成の作業車の制御装置において、エンジンの駆動力を取り出すパワーテイクオフ機構と、パワーテイクオフ機構をオンオフ作動させるための操作を行うパワーテイクオフ操作手段と、を更に備え、作業装置は、パワーテイクオフ機構により取り出されるエンジンの駆動力を用いて作動し、作動制御手段は、パワーテイクオフ機構がオン作動された状態において、浄化装置制御手段から警告信号が出力された場合に、エンジンの作動を停止させることが好ましい。また、上記構成の作業車の制御装置において、エンジンが作動されている状態において、パワーテイクオフ機構がオン作動される前に浄化装置制御手段から警告信号が出力された場合には、作動制御手段は、パワーテイクオフ機構がオン作動されたときにエンジンの作動を停止させることが好ましい。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
真空ポンプにより吸気し、ポンプケーシング内を満水させ始動する横軸ポンプにおいて、
前記真空ポンプで吸気後、前記ポンプケーシング内が満水になる前に前記横軸ポンプを始動・回転させるとともに、前記真空ポンプに至る吸気配管の吸気取出口を前記ポンプケーシングのインペラ上流側で、かつ、ポンプケーシング内側に突出して設けたことを特徴とする横軸ポンプ設備。
【請求項２】
請求項１に記載の横軸ポンプ設備において、
前記ポンプケーシング内側に突出させた吸気取出口の開口をポンプ運転時の水流に対向して配置したことを特徴とする横軸ポンプ設備。
【請求項３】
請求項１又は２に記載の横軸ポンプ設備において、
前記ポンプケーシング内側に突出させた吸気取出口を有する吸気配管を略平板状に構成し、吸込旋回流の発生を抑制したことを特徴とする横軸ポンプ設備。
【請求項４】
請求項１乃至３のいずれか１項に記載の横軸ポンプ設備において、
前記ポンプケーシングのインペラ上流側に設けた前記吸気取出口の他に、ポンプケーシング略頂部にも吸気取出口を設け、それぞれの吸気取出口に接続された吸気配管を切替えて吸気できるように、各吸気配管に吸気弁を設けたことを特徴とする横軸ポンプ設備。
【請求項５】
請求項４に記載の横軸ポンプ設備において、
ポンプの始動方法（モード）を複数設けるとともに、前記各吸気配管に設置された吸気弁の切替制御を行って複数の始動方法を選択可能とすることを特徴とする横軸ポンプ設備の運転方法。